【手続補正書】
【提出日】令和2年3月4日(2020.3.4)
【手続補正１】
【補正対象書類名】特許請求の範囲
【補正対象項目名】全文
【補正方法】変更
【補正の内容】
【特許請求の範囲】
【請求項１】
光走査装置であって、
感光ドラムを露光するためのレーザ光を出射する光源と、
回転する回転多面鏡であって、前記光源から出射された前記レーザ光を偏向する回転多面鏡と、
前記回転多面鏡によって偏向された前記レーザ光を前記感光ドラムに導く反射ミラーと、
前記回転多面鏡と前記反射ミラーとを収容する筐体と、
前記反射ミラーを前記筐体に対して押圧し、前記反射ミラーを前記筐体に固定する板バネと、
を備え、
前記板バネには、前記反射ミラーを前記筐体に取り付ける際に前記板バネと前記筐体とが摺擦することにより発生する前記筐体から削れた分離物を捕集するための粘着剤が塗布されていることを特徴とする光走査装置。
【請求項２】
前記粘着剤は、前記板バネに塗布された後に固化することなく粘着性を維持する物質であることを特徴とする請求項１に記載の光走査装置。
【請求項３】
光走査装置であって、
感光ドラムを露光するためのレーザ光を出射する光源と、
回転する回転多面鏡であって、前記光源から出射された前記レーザ光を偏向する回転多面鏡と、
前記回転多面鏡によって偏向された前記レーザ光を前記感光ドラムに導く反射ミラーと、
前記回転多面鏡と前記反射ミラーとを収容する筐体と、
前記筐体に前記反射ミラーを取り付けるための板バネを支持する板バネ支持部と、
を備え、
前記板バネ支持部には、前記反射ミラーを前記筐体に取り付ける際に前記板バネと前記板バネ支持部とが摺擦することにより発生する前記筐体から削れた分離物を捕集するための粘着剤が塗布されていることを特徴とする光走査装置。
【請求項４】
前記粘着剤は、前記板バネ支持部に塗布された後に固化することなく粘着性を維持する物質であることを特徴とする請求項３に記載の光走査装置。
【請求項５】
前記板バネ支持部は前記筐体に一体的に成形されていることを特徴とする請求項３又は請求項４に記載の光走査装置。
【請求項６】
前記反射ミラーは前記板バネ支持部によって支持されていることを特徴とする請求項３から請求項５までのいずれか１項に記載の光走査装置。
【請求項７】
光走査装置であって、
感光ドラムを露光するためのレーザ光を出射する光源と、
回転する回転多面鏡であって、前記光源から出射された前記レーザ光を偏向する回転多面鏡と、
前記回転多面鏡によって偏向された前記レーザ光を前記感光ドラムに導く反射ミラーと、
前記回転多面鏡と前記反射ミラーとを収容する筐体と、
前記筐体に前記反射ミラーを取り付けるための板バネを前記筐体にビス止めするためのビスと、
前記筐体に設けられ、前記ビスがねじ込まれるビス穴と、
前記筐体に設けられ、前記板バネに設けられた穴部に嵌るボスと、
を備え、
前記ビス穴又は前記ボスには、前記反射ミラーを前記筐体に取り付ける際に、前記ビスと前記ビス穴とが摺擦することにより、又は、前記穴部と前記ボスとが摺擦することにより発生する前記筐体から削れた分離物を捕集するための粘着剤が塗布されていることを特徴とする光走査装置。
【請求項８】
前記粘着剤は、前記ビス穴又は前記ボスに塗布された後に固化することなく粘着性を維持する物質であることを特徴とする請求項７に記載の光走査装置。
【請求項９】
前記粘着剤は、アクリル酸エステル系の物質であることを特徴とする請求項１から請求項８までのいずれか１項に記載の光走査装置。
【請求項１０】
前記筐体は、ポリフェニレンエーテル及びポリスチレン樹脂を含むことを特徴とする請求項１から請求項９までのいずれか１項に記載の光走査装置。
【請求項１１】
記録媒体に画像を形成する画像形成装置であって、
請求項１から請求項１０までのいずれか１項に記載の光走査装置と、
前記光走査装置によって潜像が形成される感光ドラムと、
前記感光ドラムに形成された潜像をトナーにより現像しトナー像を形成する現像手段と、
前記現像手段により形成されたトナー像が転写される中間転写体と、
前記感光ドラムに形成されたトナー像を前記中間転写体に転写する第１の転写手段と、
前記中間転写体上のトナー像を前記記録媒体に転写する第２の転写手段と、
前記記録媒体に転写された未定着のトナー像を当該記録媒体に定着させる定着手段と、
を備えることを特徴とする画像形成装置。
【手続補正２】
【補正対象書類名】明細書
【補正対象項目名】発明の名称
【補正方法】変更
【補正の内容】
【発明の名称】光走査装置及び画像形成装置
【手続補正３】
【補正対象書類名】明細書
【補正対象項目名】０００１
【補正方法】変更
【補正の内容】
【０００１】
本発明は、光走査装置及び画像形成装置に関する。
【手続補正４】
【補正対象書類名】明細書
【補正対象項目名】０００９
【補正方法】変更
【補正の内容】
【０００９】
（１）光走査装置であって、感光ドラムを露光するためのレーザ光を出射する光源と、回転する回転多面鏡であって、前記光源から出射された前記レーザ光を偏向する回転多面鏡と、前記回転多面鏡によって偏向された前記レーザ光を前記感光ドラムに導く反射ミラーと、前記回転多面鏡と前記反射ミラーとを収容する筐体と、前記反射ミラーを前記筐体に対して押圧し、前記反射ミラーを前記筐体に固定する板バネと、を備え、前記板バネには、前記反射ミラーを前記筐体に取り付ける際に前記板バネと前記筐体とが摺擦することにより発生する前記筐体から削れた分離物を捕集するための粘着剤が塗布されていることを特徴とする光走査装置。
（２）光走査装置であって、感光ドラムを露光するためのレーザ光を出射する光源と、回転する回転多面鏡であって、前記光源から出射された前記レーザ光を偏向する回転多面鏡と、前記回転多面鏡によって偏向された前記レーザ光を前記感光ドラムに導く反射ミラーと、前記回転多面鏡と前記反射ミラーとを収容する筐体と、前記筐体に前記反射ミラーを取り付けるための板バネを支持する板バネ支持部と、を備え、前記板バネ支持部には、前記反射ミラーを前記筐体に取り付ける際に前記板バネと前記板バネ支持部とが摺擦することにより発生する前記筐体から削れた分離物を捕集するための粘着剤が塗布されていることを特徴とする光走査装置。
（３）光走査装置であって、感光ドラムを露光するためのレーザ光を出射する光源と、回転する回転多面鏡であって、前記光源から出射された前記レーザ光を偏向する回転多面鏡と、前記回転多面鏡によって偏向された前記レーザ光を前記感光ドラムに導く反射ミラーと、前記回転多面鏡と前記反射ミラーとを収容する筐体と、前記筐体に前記反射ミラーを取り付けるための板バネを前記筐体にビス止めするためのビスと、前記筐体に設けられ、前記ビスがねじ込まれるビス穴と、前記筐体に設けられ、前記板バネに設けられた穴部に嵌るボスと、を備え、前記ビス穴又は前記ボスには、前記反射ミラーを前記筐体に取り付ける際に、前記ビスと前記ビス穴とが摺擦することにより、又は、前記穴部と前記ボスとが摺擦することにより発生する前記筐体から削れた分離物を捕集するための粘着剤が塗布されていることを特徴とする光走査装置。
（４）記録媒体に画像を形成する画像形成装置であって、前記（１）から前記（３）までのいずれか１項に記載の光走査装置と、前記光走査装置によって潜像が形成される感光ドラムと、前記感光ドラムに形成された潜像をトナーにより現像しトナー像を形成する現像手段と、前記現像手段により形成されたトナー像が転写される中間転写体と、前記感光ドラムに形成されたトナー像を前記中間転写体に転写する第１の転写手段と、前記中間転写体上のトナー像を前記記録媒体に転写する第２の転写手段と、前記記録媒体に転写された未定着のトナー像を当該記録媒体に定着させる定着手段と、を備えることを特徴とする画像形成装置。
【手続補正５】
【補正対象書類名】明細書
【補正対象項目名】００１０
【補正方法】削除
【補正の内容】
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】削除
【補正の内容】
【手続補正８】
【補正対象書類名】明細書
【補正対象項目名】００１３
【補正方法】削除
【補正の内容】
【手続補正９】
【補正対象書類名】明細書
【補正対象項目名】００１４
【補正方法】削除
【補正の内容】
【手続補正１０】
【補正対象書類名】明細書
【補正対象項目名】００１５
【補正方法】削除
【補正の内容】